(57)【要約】【課題】補綴物の作製時の歯形ブロックの取り外し、嵌め込み作業が行いやすく、且つその運送や展示の際、あるいは補綴物作製作業や模型製作作業時などに生じる衝撃によって、基台からの歯形ブロックが容易に抜け出てしまうことのない歯科技工用模型台を提供する。【解決手段】ほぼ半楕円形の基台１０と、馬蹄形のプレート２２に複数本のピン２４が設けられた連結ピン部材２０とからなる歯科技工用模型台であって、上記各ピン２４の形状は、その側面傾斜が所定高さ位置で変化する六角錐台形状からなり、上記ピン２４の、上記プレート２２側である上記所定高さ位置より下方部の側面傾斜が、該所定高さ位置より上方部の側面傾斜より小さくなるように構成する。【選択図】      図６
2004283259.tif 000002
【特許請求の範囲】
【請求項１】
上面が平坦なプレートの下面に複数のピンを該プレートに垂直に植設してなる連結ピン部材と、各々上記ピンと嵌合する該ピンと同一形状のピン嵌合孔を複数有する基台とからなり、上記連結ピン部材の上記複数のピンと、上記基台の上記複数のピン嵌合孔とを着脱自在に嵌合させて一体構造とする歯科技工用作業模型台において、
上記プレート上のピンのいくつかは、その側面傾斜が所定高さ位置で変化する角錐台形状からなり、上記ピンの、上記プレート側である上記所定高さ位置より下方部の側面傾斜が、上記所定高さ位置より上方部の側面傾斜より小さい、
ことを特徴とする歯科技工用作業模型台。
【請求項２】
請求項１に記載の歯科技工用作業模型台において、
上記角錐台の断面は、一方向に長い六角形である、
ことを特徴とする歯科技工用作業模型台。
【請求項３】
請求項１または請求項２に記載の歯科技工用作業模型台において、
上記角錐台の側縁に丸みがつけられている、
ことを特徴とする歯科技工用作業模型台。
【請求項４】
請求項１に記載の歯科技工用作業模型台において、
上記所定高さ位置は、上記プレート側からピンの全長のほぼ４分の１である、
ことを特徴とする歯科技工用作業模型台。
【請求項５】
請求項１に記載の歯科技工用作業模型台において、
上記連結ピン部材は、熱変形温度が２００℃以上のエンジニアプラスチックにより一体形成されてなる、
ことを特徴とする歯科技工用作業模型台。
【発明の詳細な説明】
【０００１】
【発明の属する技術分野】
本発明は、歯科医療で歯科補綴物等を作製する作業に用いられる歯科技工用作業模型の基台に関する。
【０００２】
【従来の技術】
従来、歯科補綴物（いわゆる詰め物や冠）を作製する場合、患者の口腔から採取した歯型の陰型に基づいて石膏で歯形模型を形成し、該歯形模型を用いて、歯科補綴物を作製するための歯科技工用作業模型を作製する。その作製方法について具体的に述べると、まず上記石膏製の歯形模型の下面を平坦に削って孔をあけ、その孔にダウエルピン（以下、「ピン」と称す。）を垂直に挿入して接着剤で固着して歯形模型にピンを植設した後、その歯形模型に必要に応じて回転防止溝を形成する。そして、そのピンが植設された歯形模型（以下、「ピン付歯形模型」と称す。）の基台を、上記ピン付歯形模型の下面やピンに離型剤（例えば、界面活性剤）を塗布してこれを石膏ペーストが予め充填された基台用シリコンゴム型等に押し込み、石膏ペーストが硬化後脱型することで成形する。
【０００３】
そして、補綴物を作製する際には、以上のようにして作製された歯科技工用作業模型の、補綴物を作製する対象となる歯の部分を切断し、その切断部分（以下、「歯形ブロック」と称す。）を上記基台より取り外したり、嵌め合わしたりすることで、その補綴物を作製する対象となる歯と隣接する歯との接触具合や対合歯との噛み合わせ等を調整しながら補綴物を作製していく。
【０００４】
しかし、従来の歯科技工用作業模型の作製には、歯形模型の孔あけ、ピンの整列埋め込み、回転防止溝の形成、さらに基台の形成など、熟練と時間を要する手作業が多く、作業性が悪いという問題があり、これを解決するものとして、例えば、特許文献１、特許文献２に開示されているように、歯形模型と基台との間に、予め多数のピンを整列配置した中間部材を介在させることが提案されている。
【０００５】
以下、この従来の問題を解決する歯科技工用作業模型について、図８〜図１１を参照しながら説明する。図８は、従来における歯科技工用作業模型台の分解平面図であり、図９は、従来における歯科技工用作業模型台の分解断面図であり、図１０は、従来における歯科技工用作業模型台に歯形模型を接着した歯科技工用作業模型の正面図であり、図１１は、従来の歯科技工用作業模型から切り出した歯形ブロックの斜視図である。
【０００６】
まず、従来の歯科技工用作業模型台は、図８及び図９に示すように、基台１１０と、該基台１１０に嵌め合わされる予め多数のピンが整列配置された連結ピン部材１２０とからなるものである。上記基台１１０は、ほぼ半楕円形のベース１１１の上面に、ほぼ馬蹄形のランド１１２が形成されたものであり、そのランド１１２上には、上記連結ピン部材１２０のピンが挿入される複数のピン挿入孔１１４が形成され、またその各ピン挿入孔１１４が設けられた位置の延長上であるランド１１２の前縁に複数の突起１１３ａが設けられ、さらに回転防止のための複数の突起１１３ｂがランド１１２の後縁に設けられている。一方、上記連結ピン部材１２０は、上記ランド１１２とほぼ同形の馬蹄形プレート１２２の下面に、多数のピン１２４を一体に形成されたものであって、上記プレート１２２の下面の前縁には、上記基台１１０のランド１１２の前縁に設けられた突起１１３ａがちょうど嵌まり込む凹部１２３ａが、また、上記ランド１１２の後縁には回転防止のための突起１１３ｂがちょうど嵌まり込む凹部１２３ｂが設けられている。
【０００７】
以上のような構成を有する歯科技工用作業模型台の基台１１０及び連結ピン部材１２０は、ともに一体形成されるものであり、具体的には、まず、連結ピン部材１２０を一体形成し、これに離型剤を塗布した後インサート形成の要領で、上記連結ピン部材１２０の凹部１２３ａ，１２３ｂに対応した突起１１３ａ，１１３ｂ、及び上記連結ピン部材１２０の複数のピン１２４に対応したピン挿入孔１１４が形成された基台１１０を一体形成する。
【０００８】
次に、図１０及び図１１を用いて、上述のようにして作製された歯科技工用作業模型台の使用方法について説明する。図１０に示すように、歯科技工用作業模型台を使用する場合、まず、患者の口腔から採取した歯型の陰型に基づいて石膏で作成した歯形模型１３０の底面を平坦にトリミングし、そのトリミングされた後の歯形模型１３０を、接着剤で連結ピン部材１２０のプレート１２２の上面に固着する。そしてその後、例えば、補綴物を作製する対象となる歯の部分が、図１０の鎖線と鎖線との間の歯である場合、該鎖線で示すような切り目に沿って、上記歯形模型１３０を固着させた歯科技工用作業模型台の連結ピン部材１２０を切断してプレート１２２を確実に切り離し、図１１に示すような歯形ブロック１３１を切り出すようにする。そして、この歯形ブロック１３１を上記基台１１０から取り外したり、嵌め合わしたりして、補綴物を作製する対象となる歯である歯形ブロック１３１と、それと隣接する歯との接触具合や対合歯との噛み合わせ等を調整しながら補綴物を作製する。このようにすれば、以前のように、歯形模型に直接孔をあけて複数のピンを植設するという作業を行わなくても、あらかじめピンが形成された連結ピン部材１２０に歯形模型１３０を接着するだけで、容易に歯科技工用作業模型を作製することができ、作業効率を格段に向上させることができる。なお、ここでは、連結ピン部材１２０の凹部１２３ａに対応する位置に上記ピン１２４が形成されているので、上記連結ピン部材１２０を切断する際には凹部１２３ａを目印に切断するようにすれば、その切断された歯形ブロック１３１にはピン１２４が設けられていることが保障される構造となっている。
【０００９】
【特許文献１】
特開２０００−２４５７４９号
【特許文献２】
特開平１０−２０１７７４号
【００１０】
【発明が解決しようとする課題】
しかしながら、図８からも明らかなように、上述した従来の歯科技工用作業模型台における各ピン１２４の形状は、その傾斜率が一定で、その断面が半円の円錐台形状を有するため、その模型台を運送、または展示している際、あるいは補綴物作製作業や模型製作作業などの際に生じる衝撃等で、連結ピン部材１２０が基台１１０から簡単に抜け出てしまうという問題があった。
【００１１】
ここで、歯科技工用作業模型台としては、図１２に示すような、片顎用の連結ピン部材１５０の形状が階段状の柱体である片顎用歯科模型台（登録意匠番号１１４８０６０）も知られている。この構成によれば、各ピン１５４が柱体となっているので、片顎用の基台１４０から片顎用の連結ピン部材１５０が取れにくく、上述の課題は解決できる。しかし、図１２に示す片顎用歯科模型台の構成は、基台１４０から連結ピン部材１５０が取れにくすぎて、逆に、補綴物を作製する際に片顎用の基台１４０から歯形ブロック１６１を取り外したり、嵌め込んだりするのに時間がかかり、補綴物作製作業における作業性が悪くなるという問題がある。さらに、図１２の歯科模型台の各ピン１５４は階段形状を有し、ピン１５４に角を多く持つため、ピン１５４を片顎用の基台１４０のピン挿入孔１４４に嵌め込んだり、取り外したりする作業を繰り返す間に、ピン１５４の角で片顎用の基台１４０に傷がついて、ピン挿入孔１４４とピン１５４との間に隙間が生じ、隣接する歯との接触具合やかみ合わせ等との調整を行うときに、ピン１５４の位置がずれ、作製後の補綴物にずれが生じてしまうという可能性や、図１２（ａ）の断面図からも明らかなように、上記ピン挿入孔１４４には平面箇所があるため、該基歯形ブロック１６１を取り外して作業している間に、その平面箇所に作業中に生じた石膏の小片やほこり等のごみがたまり、そのような状態のピン挿入孔１４４に、歯形ブロック１６１を戻して、隣接する歯との接触具合やかみ合わせ等との調整を行って補綴物作製を行うと、作製後の補綴物にずれが生じてしまうという可能性もある。
【００１２】
本発明は、上記課題を解決するためになされたものであり、補綴物の作製時の歯形ブロックの取り外し、嵌め込み作業が行いやすく、且つその運送や展示の際、あるいは補綴物作製作業や模型製作作業時などに生じる衝撃によって、基台からの歯形ブロックが容易に抜け出てしまうことのない歯科技工用模型台を提供することを目的とする。
【００１３】
【課題を解決するための手段】
上記課題を解決するために、本発明の請求項１に記載の歯科技工用模型台は、上面が平坦なプレートの下面に複数のピンを該プレートに垂直に植設してなる連結ピン部材と、各々上記ピンと嵌合する該ピンと同一形状のピン嵌合孔を複数有する基台とからなり、上記連結ピン部材の上記複数のピンと、上記基台の上記複数のピン嵌合孔とを着脱自在に嵌合させて一体構造とする歯科技工用作業模型台において、上記プレート上のピンのいくつかは、その側面傾斜が所定高さ位置で変化する角錐台形状からなり、上記ピンの、上記プレート側である上記所定高さ位置より下方部の側面傾斜が、上記所定高さ位置より上方部の側面傾斜より小さいものである。
【００１４】
また、本発明の請求項２に記載の歯科技工用模型台は、請求項１に記載の歯科技工用作業模型台において、上記角錐台の断面は、一方向に長い六角形であるものである。
【００１５】
また、本発明の請求項３に記載の歯科技工用模型台は、請求項１または請求項２に記載の歯科技工用作業模型台において、上記角錐台の側縁に丸みがつけられているものである。
【００１６】
また、本発明の請求項４に記載の歯科技工用模型台は、請求項１に記載の歯科技工用作業模型台において、上記所定高さ位置は、上記プレート側からピンの全長のほぼ４分の１であるものである。
【００１７】
また、本発明の請求項５に記載の歯科技工用模型台は、請求項１に記載の歯科技工用作業模型台において、上記連結ピン部材は、熱変形温度が２００℃以上のエンジニアプラスチックにより一体形成されてなるものである。
【００１８】
【発明の実施の形態】
（実施の形態１）
以下、図１〜図７を用いて、本実施の形態１にかかる歯科技工用模型台について説明する。
【００１９】
まず、図１〜図５を用いて、本実施の形態１における歯科技工用模型台の構成について説明する。図１は、本実施の形態１における歯科技工用模型台の平面図であり、図２は、本実施の形態１における歯科技工用模型台の底面図であり、図３は、本実施の形態１における歯科技工用模型台を分解した平面図であり、図（ａ）は基台部分の平面図であり、図（ｂ）は連結ピン部材の下面の平面図である。そして、図４は、本実施の形態１における歯科技工用模型台のＡ−Ａ断面図で、図（ａ）は嵌め込んだ状態を、図（ｂ）は分解した状態を示す図であり、図５は、本実施の形態１にかかる歯科技工用模型台のピンの形状の詳細を示す図である。
【００２０】
本実施の形態１にかかる歯科技工用模型台は、図１に示すように、ほぼ半楕円形の基台１０と、馬蹄形のプレート２２に複数本のピン２４が設けられた連結ピン部材２０とからなるものである。そして、図３（ｂ）に示すように、上記連結ピン部材２０は、上面が平坦な馬蹄形のプレート２２の下面に、所定高さ位置で傾斜が変化する六角錐台形状を有する複数本のピン２４が植設されており、また、基台１０は、図３（ａ）に示すように、ほぼ半楕円形状のベース１１上に形成された上記連結部材２０と同じ形状のランド１２に、上記ピン２４と同数且つ同一形状のピン挿入孔１４が設けられている。さらに、連結ピン部材２０、及び基台１０には、それらを嵌め合わした際にずれないようにするための凸凹部、つまり、連結ピン部材２０には、第１，第２の凹部２３ａ，２３ｂが設けられ、また上記基台１０のランド１２には、上記第１，第２の凹部２３ａ，２３ｂに嵌合するように、第１，第２の凸部１３ａ，１３ｂが設けられている。
【００２１】
そして、上記基台１０のベース１１の底面には、図２に示すようにピン挿入孔１４の部分に溝１５を設け、上記基台１０に連結ピン部材２０を嵌め込んだ際に、連結ピン部材２０のピン２４の先端がその溝１５の箇所から突出するようにしておく。このようにすれば、基台１０から連結ピン部材２０を取り外す際、この溝１５部分に突出しているピン２４の先端を押すことで、連結ピン部材２０を基台１０から取り外しやすくすることができる。
【００２２】
ここで、図５を用いて、本実施の形態１の歯科技工用模型台における、連結ピン部材２０のピン２４の形状について詳細に説明する。
図５（ａ）、（ｂ）、（ｃ）、（ｄ）は、それぞれピンの平面、正面、側面、底面を示す図である。
図５に示すように、本実施の形態１にかかるピン２４は、その側面傾斜が所定高さ位置２４３で変化する六角錐台形状を有し、本実施の形態１においては、上記プレート２２側からピン全体の約４分の１にあたる位置を所定高さ位置２４３としている。そして、上記プレート２２側から上記所定高さ位置２４３までの部分であるピンの下方部２４１の側面傾斜は小さく、その所定高さ位置２４３から上記ピン２４の先端までの部分であるピンの上方部２４２の側面傾斜は大きいものとなっている。つまり、本実施の形態１にかかるピン２４においては、該ピンの上方部２４２は、その側面の傾斜が大きく構成されていることから、ピン２４をピン挿入孔１４に嵌め込むときにはスムーズに嵌め込むことができ、そして上記ピンの下方部２４１は、その側面の傾斜が小さく構成されていることから、ピン２４をピン挿入孔１４に嵌め込んだ後はピン２４がピン挿入孔１４から抜けにくくすることができる。また、本実施の形態１のピン２４の形状が角錐台であることから、このピン２４の形状と同一形状を有するピン挿入孔１４には、ごみ等がたまることはありえず、ごみ等によって補綴物のずれが生じることを防止することが可能となる。
【００２３】
さらに、本実施の形態１のピン２４の断面は、図５に示すように、一方向に長い六角形状であることから、図６に示すように、ピン２４を基台１０のピン挿入孔１４に嵌めこんだ後、連結ピン部材２０が左右前後に移動したり、連結ピン部材２０の前後が入れ替わったりすることがなく、連結ピン部材２０の位置がずれる問題も生じない。また、図５に示すように、上記ピン２４の六角錐台形状の側縁すべてに丸みがつけられているので、基台１０に連結ピン部材２４を嵌め込んだり、取り外したりする作業において、基台１０に傷をつけることがなく、連結ピン部材２０と基台１０との間に隙間が生じることがないようにし、連結ピン部材２０が基台１０に嵌め込んだ状態にある際にその位置がずれないようにすることができる。
【００２４】
そして、上記基台１０の材料としては、石膏のほか、合成樹脂や軽金属でもよく、また、連結ピン部材の２０の材料としては、石膏等で作成されたプレート２２に、上述したような形状を有するアルミニウムなどの軽金属で作製されたピン２４を植設するようにしてもよいし、該連結ピン部材２０を合成樹脂で一体形成するようにしてもよい。なお、上記のように連結ピン部材２０を一体形成する際に使用する合成樹脂は、上記連結ピン部材２０が、後述するように補綴物を作製する対象となる歯の部分を切断するものであるため、切断の際に生じる摩擦熱によるバリや変形を防止できるように、熱変形温度が２００℃以上のエンジニアプラスチックである必要がある。そして、上記熱変形温度を実現するエンジニアプラスチックとしては、樹脂単独では実用的なものは少なく、樹脂にフィラーやガラス繊維を配合した結果、得られるものである。
【００２５】
上記エンジニアプラスチックの具体例としては、ポリブチレンテレフタレート３０％ＧＦ（ガラス繊維配合率が３０％であることを示す：以下同様）、ポリエチレンテレフタレート３０％ＧＦ、ポリエーテルサルフォン３０％ＧＦ、ポリフェニレンサルファイド３０％ＧＦ、芳香族ポリエステル３０％ＧＦなどが挙げられるが、ここに記載したものだけに限定されるものでないことはいうまでもない。
【００２６】
そして、上述したような形状を有する連結ピン部材２０、及び基台１０の作製方法としては、まず、上述したような形状を有する連結ピン部材２０を一体形成、あるいは、プレート２２にピン２４を植設することで形成した後、これに離型剤を塗布した後、インサート形成の要領で基台１０を成形する。例えば、基台１０を石膏で成形する場合は、上記連結ピン部材２０のピン部分を上にして基台用シリコンゴム型等に装填してから、石膏ペーストを流し込み、石膏ペーストが硬化後脱型することで成形する。そして、基台１０の形成後、図２に示すように、基台１０の底面部分のピン挿入孔１４が設けられた部分に溝１５を設ける。
【００２７】
そして、上述したような歯科技工用模型台を使用する場合には、図６に示すように、まず、患者の口腔から採取した歯型の陰型に基づいて石膏で作成した歯形模型３０の底面を平坦にトリミングし、そのトリミングされた後の歯形模型３０を接着剤で、その補綴物を作製する対象となる歯が連結ピン部材２０の第１の凹部２３ａに対応するように、連結ピン部材２０のプレート２２の上面に固着させる。そしてその後、例えば、上記補綴物を作製する対象となる歯が、図６の破線と破線との間にある場合、該破線で示すような切り目に沿って、上記歯形模型３０を固着させた歯科技工用作業模型台の連結ピン部材２０を切断してプレート２２を確実に切り離して、歯形ブロック３１を切り出すようにする。こうしてできた歯形ブロック３１は、上記基台１０から取り外した後も、それと隣接する歯との接触具合や対合歯との噛み合わせに関しても、完全に元の位置に戻せることから、正確な補綴物を作製することができる。
【００２８】
なお、本実施の形態１においては、全顎用の歯科技工用作業模型台を例に挙げて説明したが、図７に示すように片顎用の歯科技工用作業模型台においても、上記同様に構成すれば、同様の効果を得られるものである。
【００２９】
以上のように本実施の形態１にかかる歯科技工用作業模型台によれば、従来のように、歯形模型の直接孔をあけてピンを植設して、基台１０を作製するという作業を行わなくても、歯形模型３０を連結ピン部材２０に接着するだけで、容易に歯科技工用作業模型を作製することができることができ、さらにその連結ピン部材２０の各ピン２４が、その側面傾斜が所定高さ位置２４３で変化する六角錐台形状を有し、上記所定高さ位置２４３からプレート側２２の部分であるピンの下方部２４１の側面傾斜が小さく、該所定高さ位置２４３からピン２４の先端までの部分であるピンの上方部２４２の側面傾斜を大きくしたことから、運送や展示の際、あるいは補綴物作製作業や模型製作作業時などに生じる衝撃で、基台１０から連結ピン部材２０が簡単にはずれることがなく、一方、補綴物作製作業時には、歯形ブロック３１を基台１０より取り外したり、嵌め合わしたりする作業をスムーズに行える効果がある。
【００３０】
また、本実施の形態１によれば、六角錐台形状の側縁に丸みをつけるようにしたので、補綴物作製作業時に基台１０から歯形ブロック３１を取り外したり、嵌め込んだりする作業を繰り返すことにより生じる、基台１０の破損を防ぐことができ、これにより、歯形ブロック３１が基台１０に嵌め込んだ際にずれが生じることがないようにして、正確な補綴物を作製することができる効果がある。
【００３１】
さらに、本実施の形態１によれば、ピン２４の断面が一方向に長い六角形状であるので、基台１０に歯形ブロック３１を嵌め合わして、隣接する歯との接触具合や対合歯とのかみ合わせ等を確認する際に、上記歯形ブロック３１が基台１０上でその位置がずれたりせず、これにより、ずれのない補綴物を作製することができ、また、基台１０のランド１２、及び連結ピン部材のプレート２２上には、形状の違う２つの第１，第２の凸部１３ａ，１３ｂと、それにかみあう２つの第１，第２の凹部２３ａ、２３ｂを設けているので、歯形ブロック３１を基台１０に嵌め合わす際に嵌め込む方向をその凸凹部の形状の違いで確認でき、方向を間違えて嵌め込むことのないようにでき、さらに嵌め込んだ後には、上記歯形ブロック３１が回転することを防止する効果もある。
【００３２】
なお、本実施の形態１においては、上記連結ピン部材２０の各ピン２４の断面形状が六角形であるものとして説明したが、その側面傾斜が所定高さ位置で変化する角錐台形状を有するものであれば、その断面形状が四角形、五角形などであってもよく、さらには、断面が楕円形状、あるいはカプセル形状のような、一方の半径が他方の半径より長い円錐台形状であってもよい。
【００３３】
また、本実施の形態１においては、上記連結ピン部材２０の各ピン２４の側面傾斜が変化する位置である所定高さ位置２４３が、プレート２２側からピン全長のほぼ４分の１の位置であるものとして説明したが、その側面傾斜の所定高さ位置２４３はこの位置に限るものではなく、ピンの断面積や、ピン及び基台の材質等によって、歯科技工用作業模型台の基台から連結ピン部材のはずれやすさが適度となる位置に変化させればよい。具体的には、基台１０に歯形ブロック３１を戻す場合、上記所定高さ位置２４３が上記プレート２２に近すぎると、ピン２４はピン挿入孔１４に容易に挿入できるが、歯形ブロック３１を正確に元の位置に戻し、かつ位置ずれを防止する能力が低下することになる。また、逆に、上記所定高さ位置２４３が上記プレート２２から遠すぎると、並んでいるピンの傾斜の小さい部分の間で、基台１０の各ピンの間の石膏による硬化膨張により必要以上に基台１０からピンが抜きにくくなる。よって、経験的にピンの側面傾斜の変化位置は、上記プレート２２側からピンの全長の１０分の１から３分の２の高さ位置であるのが適当であり、本実施の形態１において例に挙げた４分の１程度が、これらのバランスがよりよいものといえる。
【００３４】
さらに、本実施の形態１においては、連結ピン部材２０のプレート２２の下面に植設された複数本のピン２４のすべてが、図５に示すような、側面傾斜が所定高さ位置で変化する六角錐台形状を有するものであるとして説明したが、上記複数本のピンのいくつかを、図９に示すような従来のピン１２４にし、本発明のピン２４と従来のピン１２４とを組み合わせて植設するようにしてもよい。その具体例としては、例えば、従来のピン２４と本発明のピン２４とを交互に植設する、あるいは、プレート２２の前歯部分に従来のピン１２４を植設し、臼歯部分に本発明のピン２４を植設するようにする等が考えられる。なお、本発明で、ピンの本数及び配置について明確にしていないのは、大人から小児まで、さらに上顎と下顎など、その全ての症例を紹介できないからであり、本発明に、ピンの本数及びその配置が影響がないことはいうまでもない。
【００３５】
【発明の効果】
以上のように、本発明の請求項１にかかる歯科技工用作業模型台によれば上面が平坦なプレートの下面に複数のピンを該プレートに垂直に植設してなる連結ピン部材と、各々上記ピンと嵌合する該ピンと同一形状のピン嵌合孔を複数有する基台とからなり、上記連結ピン部材の上記複数のピンと、上記基台の上記複数のピン嵌合孔とを着脱自在に嵌合させて一体構造とする歯科技工用作業模型台において、上記プレート上のピンのいくつかは、その側面傾斜が所定高さ位置で変化する角錐台形状からなり、上記ピンの、上記プレート側である上記所定高さ位置より下方部の側面傾斜が、上記所定高さ位置より上方部の側面傾斜より小さいものであるようにしたので、歯科技工用作業模型台の運送や展示の際、あるいは歯科技工用作業模型台を用いて補綴物作製作業する際の衝撃や、当該歯科技工用作業模型台製作作業時に生じる衝撃などで、歯科技工用作業模型台の基台から連結ピン部材が簡単にはずれることがなく、一方、補綴物作製作業をする際に、連結ピン部材を基台より取り外したり、嵌め合わしたりする時には、その作業をスムーズに行える効果がある。
【００３６】
また、本発明の請求項２にかかる歯科技工用作業模型台によれば、請求項１に記載の歯科技工用作業模型台において、上記角錐台の断面は、一方向に長い六角形であるようにしたので、基台に連結ピン部材を嵌め合わして、隣接する歯との接触具合や対合歯とのかみ合わせ等を確認する際に、上記連結ピン部材が基台上で位置がずれることを防止でき、これにより、精密な補綴物を作製することができる。
【００３７】
また、本発明の請求項３にかかる歯科技工用作業模型台によれば、請求項１または請求項２に記載の歯科技工用作業模型台において、上記角錐台の側縁に丸みがつけられているようにしたので、補綴物作製作業時に基台から連結ピン部材を取り外したり、嵌め込んだりする作業を繰り返すことにより生じる、基台の破損を防ぐことができ、これにより、連結ピン部材が基台に嵌め込んだ際にずれが発生することによる、補綴物のずれを防止する効果がある。
【００３８】
また、本発明の請求項４にかかる歯科技工用作業模型台によれば、請求項１に記載の歯科技工用作業模型台において、上記所定高さ位置は、上記プレート側からピンの全長のほぼ４分の１であるようにしたので、歯科技工用作業模型台の基台から連結ピン部材のはずれやすさを適度なものとすることができる。
【００３９】
また、本発明の請求項５にかかる歯科技工用作業模型台によれば、請求項１に記載の歯科技工用作業模型台において、上記連結ピン部材は、熱変形温度が２００℃以上のエンジニアプラスチックにより一体形成されてなるようにしたので、プラスチックにより一体形成された連結ピン部材を切断しても、その形状が変化することがないため、切断した後、その切断した連結ピン部材を基台に嵌め込むでも、隣接する歯の連結ピンとの間にずれが生じることがなく、ずれのない補綴物を作製することができる。
【図面の簡単な説明】
【図１】本発明の実施の形態１における、歯科技工用模型台の平面図である。
【図２】本発明の実施の形態１における、歯科技工用模型台の底面図である。
【図３】本発明の実施の形態１における、歯科技工用模型台を分解した平面図である。
【図４】本発明の実施の形態１における、歯科技工用模型台のＡ−Ａ断面図である。
【図５】本発明の実施の形態１における、歯科技工用模型台のピンの形状を示す図であり、（ａ）、（ｂ）、（ｃ）、（ｄ）は、ピンの平面、正面、側面、底面を示す図である。
【図６】本発明の実施の形態１における、歯科技工用作業模型台に歯形模型を接着した歯科技工用作業模型の斜視図である。
【図７】本発明の実施の形態１における、片顎タイプの歯科技工用模型台を示す図である。
【図８】従来における歯科技工用作業模型台の分解平面図である。
【図９】従来における歯科技工用作業模型台の分解断面図である。
【図１０】従来における歯科技工用作業模型台に歯形模型を接着した歯科技工用作業模型の正面図である。
【図１１】従来における歯科技工用作業模型から切り出した歯形ブロックの斜視図である。
【図１２】従来における片顎用歯科模型台を示す図である。
【符号の説明】
１０，１１０  基台
１１，１１１  ベース
１２，１１２  ランド
１３ａ  第１の凸部
１３ｂ  第２の凸部
１４，１１４，１４４  ピン挿入孔
１５  溝
２０，１２０  連結ピン部材
２２，１２２  プレート
２３ａ  第１の凹部
２３ｂ  第２の凹部
２４，１２４，１５４  ピン
３０，１３０，１６０  歯形模型
３１，１３１，１６１  歯形ブロック
４０，１４０  片顎用の基台
５０，１５０  片顎用の連結ピン部材
１１３ａ，１１３ｂ  凸部
１２３ａ，１２３ｂ  凹部
２４１  ピンの下方部
２４２  ピンの上方部
２４３  所定高さ位置
【図１】
2004283259.tif 000003
【図２】
2004283259.tif 000004
【図３】
2004283259.tif 000005
【図４】
2004283259.tif 000006
【図５】
2004283259.tif 000007
【図６】
2004283259.tif 000008
【図７】
2004283259.tif 000009
【図８】
2004283259.tif 000010
【図９】
2004283259.tif 000011
【図１０】
2004283259.tif 000012
【図１１】
2004283259.tif 000013
【図１２】
2004283259.tif 000014